(57)【要約】  【課題】キーワードに該当する情報が複数あった場合、自動的に最も情報量の多い情報を映像及び／または音声として出力することができるマルチメディア装置を提供する。  【解決手段】ＣＰＵ１１は、マイク１４、音声認識部１５によって抽出されたキーワードに基づいてメモリ１２に記憶されているテレビ放送、ラジオ放送、データ放送の番組内容の情報を検索することにより、その時間にキーワードに該当する番組があるか否かを判定し、複数の番組がキーワードに合致した場合には、テレビ放送、ラジオ放送、データ放送の順に放送する。また、キーワードに該当する番組がなかった場合には、インターネット接続装置１７によりインターネット情報や無線ＬＡＮ７を介して地域情報を検索し、キーワードに該当するインターネット情報等を表示する。  【選択図】図１
2007081768.tif 000002
【特許請求の範囲】
【請求項１】
複数のメディアからの情報を選択する制御手段を備えたマルチメディア装置において、
上記制御手段が、入力されたキーワードに該当する情報を検索し、情報量の多い順にメディアを選択して対応する情報を出力することを特徴とするマルチメディア装置。
【請求項２】
請求項１に記載されたマルチメディア装置において、
選択された情報の出力が終了した場合、上記制御手段が、次に情報量の多いメディアを選択して情報を出力することを特徴とするマルチメディア装置。
【請求項３】
請求項１に記載されたマルチメディア装置において、
キーワードに該当する情報がない場合、上記制御手段が、該当する情報がない旨を報知することを特徴とするマルチメディア装置。
【請求項４】
請求項１〜請求項３のいずれかに記載されたマルチメディア装置において、
上記複数のメディアにテレビ放送、ラジオ放送、データ放送、インターネット情報、地域情報のうち少なくとも２以上が含まれ、
上記制御手段が、テレビ放送、ラジオ放送、あるいは、データ放送の番組の内容を表すデータを一定時間間隔で取り込んでメモリに蓄積することを特徴とするマルチメディア装置。
【請求項５】
請求項４に記載されたマルチメディア装置において、
上記制御手段が、入力されたキーワードの履歴に基づいて入力頻度の高いキーワードに該当するインターネット情報または地域情報を常時取り込み、メモリに蓄積することを特徴とするマルチメディア装置。
【請求項６】
請求項１〜請求項５のいずれかに記載されたマルチメディア装置において、
上記制御手段が、情報量の多い順にメディアを選択するに代えて、リアルタイム性の高い順にメディアを選択することを特徴とするマルチメディア装置。
【請求項７】
複数のメディアからの情報を選択する制御手段を備えたマルチメディア装置において、
上記制御手段が、入力されたキーワードに該当する情報を検索し、設定されたメディアの出力優先順位の順にメディアを選択して対応する情報を出力することを特徴とするマルチメディア装置。
【発明の詳細な説明】
【技術分野】
【０００１】
本発明は、テレビ放送、ラジオ放送、データ放送、インターネット情報、地域情報等の複数のメディアからの情報を映像及び音声として出力するマルチメディア装置に関する。
【背景技術】
【０００２】
最近、地上送信波による放送に加え、放送衛星、通信衛星、ＣＡＴＶによる放送、さらにはインターネット通信画像を受信する機能など、テレビジョン受像機が受信し映像及び音声として再生出力する放送、ソースは多岐に渡り拡大してきており、所望の番組を受信しようとしたり、将来放送される番組の受信予約を行う場合、番組を選択することが困難になりつつあるので、番組の選択操作を容易かつ高機能にする目的で、電子番組ガイド（ＥＰＧ、Electronic  Program  Guide）が実用化されている。
【０００３】
この電子番組ガイドは、番組のタイトル、放送チャネル、放送開始・終了時刻、出演者、番組の分類、番組の概要（あらすじ）、番組を特徴づけるキーワード、番組の一場面の静止画データ、番組の一部分の音声データ、スポンサー名などの、番組に関する電子的なデータをユーザが入手し番組の選択に用いるものである。
【０００４】
一方、最近のデジタル放送受信システムでは、デジタル圧縮技術を用いて映像・音声信号を圧縮するとともに、複数番組の映像・音声デジタル信号を時分割多重したストリーム（トランスポートストリーム）をトランスポンダ（衛星中継器）を経由して放送を行っている。また、このようなデジタル放送を受信する放送受信装置は、アンテナを通して受け取ったデジタル放送の複数のトランスポンダの中から一つをチューナによって選択し、この一つのトランスポンダに含まれる複数のチャンネルのうち一つをデマルチプレクス処理によって選択し、この選択したチャンネルのデジタル信号をデコードすることによって映像・音声信号を出力するようになっている。
【０００５】
このようなデジタルテレビ放送でも、映像や音声を放送することに加え、サービス情報（番組名、番組内容、番組開始・終了時刻、番組ジャンルコード等）も送信しており、受信機側では、ＯＳＤ（オンスクリーンディスプレイ）機能を用い、ＥＰＧ表示を行うことで、多チャンネル放送の中からユーザが望む番組を選択することができるようになっている。また、番組ジャンルコードを用い、ユーザが指定したジャンルのコードを持つ番組を抽出し、検索結果を画面表示する機能も備えられている。
【０００６】
上記のように、デジタルテレビ放送受信機では、画面上に表示された番組表、メニューから、番組を選択することができるが、ユーザが希望する番組を見つけ出すためには、いくつものステップをたどらざるを得ない。
例えば、プロ野球の阪神戦を見たい場合には、まず、ジャンル検索機能を使用するための検索画面を表示させ、その検索画面上でスポーツを選択し、数多いスポーツジャンルの中から「プロ野球」を選択した後、検索結果から、阪神戦を探すことになる。
【０００７】
これを解消するため、選択したい番組を特定するための単語、例えば、「野球中継、阪神」をユーザに音声入力させ、入力された音声に対して音声認識処理を行ってキーワードを抽出し、抽出したキーワードに基づいて番組案内情報を検索することにより、自動的に所望の番組を選択できるようにしたデジタルテレビ放送受信機が提案されている（例えば、特許文献１参照）。
【特許文献１】特開２００１−３０９２５７号公報
【発明の開示】
【発明が解決しようとする課題】
【０００８】
ところで、車載用マルチメディア装置のように、テレビ、ラジオ、インターネット等複数のメディアが受信できる端末装置では、例えば、野球中継など、あるエリアではテレビで放送しているが、他のエリアではテレビで放送しておらず、ラジオのみ放送している番組があり、利用者が期待する情報を取得するために、一つ一つのメディアにおいて、全ての番組を視聴し、そこから利用者が期待する情報であるかどうかを判断する作業が必要となる。しかも、そのメディアにおいて利用者が期待する情報がない場合は、別のメディアにて同様の作業を行わなければならない。
【０００９】
一方、上記のようにキーワードにより番組案内情報を検索して所望の番組を選択することも可能であるが、全てのメディアで同じキーワードに該当する番組が放送されている場合、ユーザは最も情報量の多い動画（テレビ放送）、次に情報量の多い音声（ラジオ放送）、最後に文字による情報（データ放送、インターネット情報）の順で視聴したいというニーズがあるが、そのためには、まず、ユーザがメディアの指定を行い、指定したメディア毎に番組検索を行わなければならず、手間がかかるという問題があった。
【００１０】
本発明は、上記の問題に鑑みてなされたもので、キーワードに該当する情報が複数あった場合、自動的に最も情報量の多い情報を映像及び／または音声として出力することができるマルチメディア装置を提供することを目的とする。
【課題を解決するための手段】
【００１１】
上述の目的を達成するため、本発明に係るマルチメディア装置（１）は、
複数のメディアからの情報を選択する制御手段を備えたマルチメディア装置において、
上記制御手段が、入力されたキーワードに該当する情報を検索し、情報量の多い順にメディアを選択して対応する情報を出力することを特徴とする。
【００１２】
また、本発明に係るマルチメディア装置（２）は、マルチメディア装置（１）において、
選択された情報の出力が終了した場合、上記制御手段が、次に情報量の多いメディアを選択して情報を出力することを特徴とし、
本発明に係るマルチメディア装置（３）は、マルチメディア装置（１）において、
キーワードに該当する情報がない場合、上記制御手段が、該当する情報がない旨を報知することを特徴とする。
【００１３】
なお、マルチメディア装置（１）〜（３）のいずれかにおいて、音声入力手段と音声解析手段とを備え、上記音声解析手段が上記音声入力手段に入力された音声からキーワードを抽出するようにするのも好適である。
【００１４】
さらに、本発明に係るマルチメディア装置（４）は、マルチメディア装置（１）〜（３）のいずれかにおいて、
上記複数のメディアにテレビ放送、ラジオ放送、データ放送、インターネット情報、地域情報のうち少なくとも２以上が含まれ、
上記制御手段が、テレビ放送、ラジオ放送、あるいは、データ放送の番組の内容を表すデータを一定時間間隔で取り込んでメモリに蓄積することを特徴とする。
なお、上記制御手段が、キーワードが入力された時点で上記キーワードを用いてインターネット情報、または地域情報の検索を行うことが好ましい。
【００１５】
また、本発明に係るマルチメディア装置（５）は、マルチメディア装置（４）において、
上記制御手段が、入力されたキーワードの履歴に基づいて入力頻度の高いキーワードに該当するインターネット情報または地域情報を常時取り込み、メモリに蓄積することを特徴とし、
本発明に係るマルチメディア装置（６）は、マルチメディア装置（１）〜（５）のいずれかにおいて、
上記制御手段が、情報量の多い順にメディアを選択するに代えて、リアルタイム性の高い順にメディアを選択することを特徴とする。
【００１６】
さらに、本発明に係るマルチメディア装置（７）は、
複数のメディアからの情報を選択する制御手段を備えたマルチメディア装置において、
上記制御手段が、入力されたキーワードに該当する情報を検索し、設定されたメディアの出力優先順位の順にメディアを選択して対応する情報を出力することを特徴とする。
【発明の効果】
【００１７】
本発明に係るマルチメディア装置（１）、（２）によれば、入力されたキーワードに基づいて情報を検索し、複数のメディアの情報が検索された場合、情報量の多い順にメディアが選択されて情報が出力されるので、自動的に最も情報量の多い情報を画像及び／または音声として出力することができ、メディアソースの切替作業及びメディア毎の番組検索作業を不要とすることができる。
【００１８】
また、本発明に係るマルチメディア装置（３）によれば、キーワードに該当する情報がない場合、該当する情報がないことがユーザに通知されるので、検索実行結果を明確に知ることが可能となる。
なお、音声解析手段が音声入力手段に入力された音声からキーワードを抽出するようにすれば、ユーザは音声のみで操作することができる。
【００１９】
さらに、本発明に係るマルチメディア装置（４）によれば、テレビ放送、ラジオ放送、あるいは、データ放送の番組の内容を表すデータが一定時間間隔で取り込まれてメモリに蓄積されるので、常に放送中番組の概要把握が可能となる。
また、本発明に係るマルチメディア装置（５）によれば、入力されたキーワードの履歴に基づいて入力頻度の高いキーワードに該当するインターネット情報または地域情報が常時取り込まれてメモリに蓄積されるので、キーワード入力後のレスポンスを向上させることができる。
【００２０】
さらに、本発明に係るマルチメディア装置（６）によれば、入力されたキーワードに基づいて情報を検索し、複数のメディアの情報が検索された場合、リアルタイム性の高い順にメディアが選択されて情報が出力されるので、自動的にリアルタイム性の高い情報を出力することができる。
また、本発明に係るマルチメディア装置（７）によれば、入力されたキーワードに基づいて情報を検索し、複数のメディアの情報が検索された場合、設定されたメディアの出力優先順位の順にメディアが選択されて情報が出力されるので、ユーザが最も希望するメディアの情報を出力することが可能となる。
【実施例】
【００２１】
以下、本発明のマルチメディア装置を車載用マルチメディア装置に適用した実施例について、図１のブロック図を用いて説明する。
図１に示すように、このマルチメディア装置は、情報処理部１、ＴＶ受信部２、ラジオ受信部３、画像・音声出力部４により構成されている。
情報処理部１は、ＣＰＵ１１、メモリ１２、操作部１３、マイク１４、音声認識部１５、ＯＳＤ表示回路１６、インターネット接続装置１７、映像処理回路１８、音声処理回路１９から構成されている。
【００２２】
ＣＰＵ１１はマルチメディア装置のハードウェア各部を制御するとともに、メモリ１２に記憶されている受信プログラムや検索プログラム等のプログラムを実行し、メモリ１２は上記のプログラムやＴＶ受信部２から入力されるテレビ放送やラジオ放送、あるいはデータ放送の番組情報（番組名、番組内容、番組開始・終了時刻、番組ジャンルコード等）を記憶する。
また、操作部１３はリモコンキ−などであり、マルチメディア装置のオン、オフ制御やテレビやラジオのチャンネル選局、あるいは検索すべきキーワード等を入力するためのものである。
【００２３】
音声認識部１５はマイク１４から入力される音声の認識処理を行ってキーワードを抽出し、ＯＳＤ（オンスクリーンディスプレイ）表示回路１６はＣＰＵ１１から出力指示された文字情報や図形情報に基づくビットマップデータを出力する。このＯＳＤ表示回路１６によりＣＰＵ１１が受け取ったサービス情報に基づく電子番組ガイド（ＥＰＧ）やキーワード検索画面等が作成される。
【００２４】
また、インターネット接続装置１７はインターネット網５を介してウェブ情報集サーバ６に接続して情報を検索したり、検索出力されたホームページ等に接続して動画像、静止画像、あるいはテキストデータ等を収集するとともに、無線ＬＡＮ７等を介して特定の発信地からの地域情報も取得することができる。
映像処理回路１８はＣＰＵ１１からのインターネット情報に含まれる映像信号を処理し、音声処理回路１９はＣＰＵ１１からのインターネット情報に含まれる音声信号を処理したり、テキストデータを音声に変換する処理を行う。
【００２５】
そして、ＣＰＵ１１は、マイク１４または操作部１３から入力されたキーワードを順次メモリ１２に記憶し、その中から入力頻度の高いキーワードに基づいてインターネット接続装置１７によりインターネット情報や地域情報を常時検索し、該当するホームページ等の情報をメモリ１２に蓄積し、そのキーワードが再度選択された場合には、メモリ１２に蓄積された情報を出力する。
【００２６】
一方、ＴＶ受信部２はデジタルテレビ放送を受信するもので、ＴＶアンテナ２１、ＴＶチューナ２２、ＤＥＭＵＸ２３、ＡＶデコーダ２４、映像処理回路２５及び音声処理回路２６よりなり、ＴＶアンテナ２１は車両外部に設置され、例えば、ＢＳ衛星から送られてくるデジタル放送信号を受信する。このＴＶアンテナ２１は、一般に周波数変換器を備え、受信／周波数変換した信号をＴＶチューナ２２に入力する。
【００２７】
ＴＶチューナ２２は、受信した高周波デジタル変調信号のうちから特定周波数の信号を取り出す処理、すなわち、デジタル放送の複数のトランスポンダのなかから一つを選択する処理を行う。また、ＴＶチューナ２２は、復調回路、逆インターリーブ回路、誤り訂正回路などを備えることにより、選択したデジタル変調信号を復調してトランスポート・ストリームを出力する。
【００２８】
デマルチプレクサ（ＤＥＭＵＸ）２３は、ＴＶチューナ２２から受け取ったトランスポート・ストリームをＭＰＥＧ２のビデオトランスポートパケット、オーディオトランスポートパケット、及びＰＳＩ／ＳＩ（Program Specific Information／Service Information）に分離し、ビデオトランスポートパケット、オーディオトランスポートパケットをＡＶデコーダ２４に供給し、ＰＳＩ／ＳＩをＣＰＵ１１に供給する。
ＣＰＵ１１はこのＰＳＩ／ＳＩからテレビ放送、ラジオ放送やデータ放送の番組情報を抽出してメモリ１２に記憶する。
【００２９】
なお、トランスポート・ストリームには複数のチャンネルが多重化されており、この中から任意のチャンネルを選択するための処理は、ＰＳＩ／ＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩ／ＳＩの情報に基づいて行うことができる。
【００３０】
ＡＶデコーダ２４は、ビデオトランスポートパケットに対してデコードを行うビデオデコーダ、及びオーディオトランスポートパケットに対してデコードを行うオーディオデコーダを備え、復号した映像データを映像処理回路２５に出力し、復号した音声データを音声処理回路２６に出力する。
映像処理回路２５はＡＶデコーダ２４から映像データを受け取り、Ｄ／Ａ変換を行って、例えば、ＮＴＳＣフォーマットのコンポジット信号に変換する。音声処理回路２６はＡＶデコーダ２４から出力された音声データを受け取り、Ｄ／Ａ変換を行い、左右（Ｌ、Ｒ）音のアナログ信号を生成する。
【００３１】
また、ラジオ受信部３は、ラジオアンテナ３１とラジオチューナ３２よりなり、ラジオアンテナ３１は車両外部に設置されてラジオ放送信号を受信し、ラジオチューナ３２はラジオアンテナ３１に受信された信号の中からＣＰＵ１１により指示されたラジオ局の番組を選択して出力する。
【００３２】
さらに、画像・音声出力部４は、加算回路４１、４２、映像出力回路４３、音声出力回路４４、ディスプレイ４５及びスピーカ４６よりなり、加算回路４１はＴＶ受信部２の映像処理回路２５からの映像信号と情報処理部１のＯＳＤ表示回路１６及び映像処理回路１８からの映像信号を加算して映像出力回路４３に出力し、加算回路４２はＴＶ受信部２の音声処理回路２６からの音声信号とラジオ受信部３からの音声信号及び情報処理部１の音声処理回路１９からの音声信号を加算して音声出力回路４４に出力する。映像出力回路４３、音声出力回路４４は出力抵抗や増幅器等を備えており、入力された映像信号、音声信号をそれぞれディスプレイ４５、スピーカ４６に出力する。
【００３３】
このマルチメディア装置では、操作部１３によりメモリ１２に記憶された電子番組表の表示を選択し、ディスプレイ４５に表示された番組表の中から所望の番組を選択することにより、ＣＰＵ１１がＡＶデコーダ２４またはラジオチューナ３２を制御し、ユーザが指定した番組の情報がディスプレイ４５、スピーカ４６より出力される。
なお、情報の多い情報は単位時間当りの情報量の多い情報で、動画、音声、静止画、文字の順で情報量が多く、また、リアルタイムに映像が提供されるテレビ放送、リアルタイムに音声が提供されるラジオ放送等は情報量が多く、蓄積した画像、音声、文字情報を提供する文字放送等は情報量が少ない。
【００３４】
一方、このマルチメディア装置では、入力されたキーワードに基づいて情報を検索して自動的に最も情報量の多い情報を画像及び／または音声として出力することができる。以下、マイク１４からキーワードを入力して情報検索を行う場合の作用について、図２のフローチャートにより説明する。
なお、このとき、ＴＶ受信部２から入力されるテレビ放送やラジオ放送あるいはデータ放送の番組情報が既にメモリ１２に記憶されているとともに、このメモリ１２には、過去に入力されたキーワードのうち、入力頻度の高いキーワードに関するインターネット情報や地域情報が一定時間間隔で取得されて蓄積されているものとする。
【００３５】
ユーザが操作部１３により、例えば、音声キーワード検索のボタンを押下すると、ＣＰＵ１１は、図２のフローチャートに示すキーワード検索のプログラムの実行を開始し、音声認識部１５にマイク１４から入力される音声の音声認識の実行を指示する（ステップ１０１）。これにより、マイク１４に音声入力があった場合、マイク１４に入力された音声が音声認識部１５によって音声認識処理され、音声認識結果であるキーワード、例えば、「野球中継、阪神」が音声認識部１５からＣＰＵ１１に入力され、検索キーワードとしてメモリ１２に記憶される。
【００３６】
音声認識部１５に音声認識の実行を指示した後、ＣＰＵ１１は、音声認識結果であるキーワードが音声認識部１５から入力されたか否かを判定しており（ステップ１０２）、キーワードが音声認識部１５から入力されたと判定すると、入力されたキーワードによりメモリ１２に記憶されているＴＶ放送の番組内容の情報を検索することにより、その時間にキーワードに該当するＴＶ放送番組があるか否かを判定する（ステップ１０３）。
キーワードに該当するＴＶ番組があると判定した場合、ＣＰＵ１１は、該当番組の情報をＡＶデコーダ２４に入力し、キーワードに該当する放送のチャンネルを選択する（ステップ１０４）。
【００３７】
すなわち、ＡＶデコーダ２４は、選択されたチャンネルのビデオトランスポートパケット、オーディオトランスポートパケットを復号して映像データ、音声データを映像処理回路２５、音声処理回路２６に出力し、映像処理回路２５、音声処理回路２６は映像データ、音声データをＤ／Ａ変換して、映像出力回路４３、音声出力回路４４を介してディスプレイ４５及びスピーカ４６に出力することにより、選択されたチャンネルの番組を放送する。
【００３８】
一方、ステップ１０３でその時間にキーワードに該当するＴＶ放送がないと判定した場合、ＣＰＵ１１は入力されたキーワードによりメモリ１２に記憶されているラジオ放送の番組内容の情報を検索することにより、その時間にキーワードに該当するラジオ放送番組があるか否かを判定し（ステップ１０５）、該当するラジオ番組があると判定した場合、該当番組の情報をラジオチューナ３２に入力し、キーワードに該当するラジオ放送を選択する（ステップ１０４）。
すなわち、ラジオチューナ３２は、ラジオアンテナ３１に受信された信号の中から指示されたラジオ局の番組を選択して音声出力回路４４に出力し、選択されたラジオ局の放送がスピーカ４６から流れる。
【００３９】
また、ステップ１０５でキーワードに該当するラジオ放送番組がないと判定した場合、ＣＰＵ１１は、入力されたキーワードによりメモリ１２に記憶されているデータ放送の番組内容の情報を検索することにより、その時間にキーワードに該当するデータ放送があるか否かを判定する（ステップ１０６）。
【００４０】
キーワードに該当するデータ放送があると判定した場合、ＣＰＵ１１は、該当番組の情報をＡＶデコーダ２４に入力し、キーワードに該当するデータ放送のチャンネルを選択する（ステップ１０４）。
すなわち、ＡＶデコーダ２４は、選択されたデータ放送のトランスポートパケットを復号して映像データを映像処理回路２５に出力し、映像処理回路２５は映像データをＤ／Ａ変換して、映像出力回路４３を介してディスプレイ４５に出力することにより、データ放送を表示する。
【００４１】
ＴＶ番組、ラジオ番組またはデータ放送を選択した後、ＣＰＵ１１は選択した番組の放送が終了したか否かを判定しており（ステップ１０７）、選択した番組の放送が終了したと判定すると、ステップ１０３に戻って再びキーワードに該当するＴＶ番組があるか否かを判定する。
したがって、例えば、ＴＶの野球中継が終了した場合には、その次に情報量の多いラジオの野球中継を自動的に選択することができる。
【００４２】
また、ステップ１０６でその時間にキーワードに該当するデータ放送がないと判定した場合、ＣＰＵ１１はメモリ１２に記憶されているインターネット情報や地域情報を入力されたキーワードで検索し、該当するインターネット情報や地域情報があるか否かを判定し（ステップ１０８）、該当するインターネット情報や地域情報があると判定した場合、メモリ１２に蓄積された該当情報、例えば、動画像や静止画像、あるいはテキストデータを出力する（ステップ１０９）。
【００４３】
なお、選択されたインターネット情報や地域情報が動画像の場合、映像信号、音声信号がそれぞれ映像処理回路１８、音声処理回路１９を介して映像出力回路４３、音声出力回路４４に入力されて動画像が表示される。また、選択されたインターネット情報が静止画像の場合、静止画像の情報がＯＳＤ表示回路１６に入力されてビットマップデータに変換され、映像出力回路４３を介してディスプレイ４５に表示される。さらに、選択されたインターネット情報がテキストデータの場合には、テキストデータがＯＳＤ表示回路１６を介してディスプレイ４５に表示される。
また、テキストデータの場合、ディスプレイ４５に表示する代わりに、音声処理回路１９により音声に変換し、音声出力回路４４を介してスピーカ４６から出力するようにすることも可能である。
【００４４】
一方、ステップ１０８でキーワードに該当するインターネット情報や地域情報がメモリ１２に記憶されていないと判定した場合、ＣＰＵ１１は、メモリ１２に格納した検索キーワードのテキストデータを読み出し、インターネット接続装置１７によりインターネット網５を介して、例えば、ウェブ情報収集サーバ６に送信したり、無線ＬＡＮ７を介して地域情報提供施設に送信することにより、入力されたキーワードで情報検索を行う（ステップ１１０）。
【００４５】
キーワードを送信した後、ＣＰＵ１１は、キーワードに該当するインターネット情報や地域情報があったか否かを判定し（ステップ１１１）、キーワードに該当する情報がなかったと判定した場合、ディスプレイ４５に該当する放送またはインターネット情報等がない旨を表示する（ステップ１１２）。
なお、ディスプレイ４５に該当する放送またはインターネット情報等がない旨を表示する代わりに、スピーカ４６から音声により該当する放送またはインターネット情報等がない旨を告げるようにしてもよい。
【００４６】
そして、ステップ１１１でキーワードに該当するインターネット情報または地域情報があったと判定した場合には、ＣＰＵ１１はインターネット接続装置１７によりインターネット網５や無線ＬＡＮ７を介して該当するホームページまたは地域情報提供施設に接続し、必要な情報を取り込んでメモリ１２に記憶し、上記と同様にしてインターネット情報等を表示する。
【００４７】
以上のように、入力されたキーワードに基づいて情報を検索し、複数のメディアの情報が検索された場合、情報量の多い順にメディアが選択されて情報が出力されるので、自動的に最も情報量の多い情報を画像及び／または音声として出力することができ、また、キーワードに該当する情報がない場合、該当する情報がないことがユーザに通知されるので、検索実行結果を明確に知ることができる。
【００４８】
つまり、比較的多くのユーザは、同じ内容の番組がある場合、情報量の多い番組を好む。これはより多くの詳細な情報が得られる点（動画等により、より楽しめる）と、必要としない情報は自ら無視すれば良いからであると考えられる。例えば、野球中継の場合、多くのユーザの場合、まずテレビ放送で中継していないかを探し、次にテレビ放送が無ければラジオ放送を探す。それでも無ければ、静止画等を得られるインターネット、文字情報が得られるデータ放送を探すことが多い。
【００４９】
なお、この処理では、情報量の多いメディア順に情報の有無を判断して情報量の多い順にメディアを選択するようにしたが、メモリに選択するメディアの優先順位をユーザの設定操作に基づき記憶しておき、その順にメディアを選択するようにすることも可能である。
この場合には、キーワードに該当する情報の内ユーザが最も希望するメディアの情報が出力されることになる。
つまり、比較的多くのユーザは、同じ内容の番組がある場合、リアルタイム性の高い番組を好む。これは通常、人はより早く情報を知りたいという点から生じると考えられる。例えば、野球等のスポーツ中継の場合、あるいは事件等の映像の場合、多くのユーザの場合、録画放送よりも生放送を好む。
【００５０】
また、上記の実施例では、本発明のマルチメディア装置を車載用のマルチメディア装置に適用した実施例について説明したが、本発明のマルチメディア装置は車載以外のマルチメディア装置にも適用することが可能である。
さらに、上記の実施例では、マイクと音声認識部を利用してキーワードを入力したが、ディスプレイにキーワード入力画面を表示し、操作部によりキーワードを入力することもできる。
【００５１】
また、上記の実施例では、テレビ受信装置としてデジタルテレビ放送の受信装置について説明したが、テレビ受信装置としては、通常のアナログ放送の受信装置を使用することも可能であり、また、上記の実施例では、番組情報をデジタルテレビ放送受信機から取得したが、アナログテレビ放送受信機やインターネット等から番組情報を取得するようにしてもよい。
【００５２】
さらに、上記の実施例では、情報量の多い順にメディアが選択されるように構成したが、リアルタイム性が高い順に選択されるようにしてもよい。例えば、野球放送においては、テレビ、ラジオは実際にゲームと殆ど時間差は無くリアルタイム性は高いが、データ放送やインターネットではデータ更新のために若干遅れ、リアルタイム性は低い。従って、キーワードに該当するメディアが複数あった場合には、リアルタイム性が高いメディアが優先的に選択される。つまり、野球中継の場合には、テレビ、ラジオ、データ放送、インターネットといった優先順位で選択されることになる。
なお、テレビとラジオの順は、情報量の差（多い方が優先）で決めれば良いが、自動車用の装置の場合、走行中はテレビ映像を表示しない場合もあるので、その際（走行中）には音声情報量の多いラジオをテレビより優先するのが好ましい（停車して映像が表示される場合は、テレビに切り替える）。
【００５３】
また、データ更新時刻のデータがメディアの情報に含まれる場合には、その更新時刻でリアルタイム性を判断しても良い（更新時刻の後の方が優先）。
さらに、モード選択スイッチを設け、情報量の多い順にメディアが選択されるモード、リアルタイム性が高い順にメディアが選択されるモード等、複数のモードから所望のモードを選択できるようにしても良い。
【図面の簡単な説明】
【００５４】
【図１】本発明のマルチメディア装置を車載用のマルチメディア装置に適用した実施例のシステム構成を示すブロック図である。
【図２】キーワードによる情報検索時の作用を示すフローチャートである。
【符号の説明】
【００５５】
１  情報処理部
１１  ＣＰＵ
１２  メモリ
１３  操作部
１４  マイク
１５  音声認識部
１６  ＯＳＤ表示回路
１７  インターネット接続装置
１８  映像処理回路
１９  音声処理回路
２  ＴＶ受信部
２１  ＴＶアンテナ
２２  ＴＶチューナ
２３  ＤＥＭＵＸ
２４  ＡＶデコーダ
２５  映像処理回路
２６  音声処理回路
３  ラジオ受信部
３１  ラジオアンテナ
３２  ラジオチューナ
４  画像・音声出力部
４１、４２  加算回路
４３  映像出力回路
４４  音声出力回路
４５  ディスプレイ
４６  スピーカ
【図１】
2007081768.tif 000003
【図２】
2007081768.tif 000004